(57)【特許請求の範囲】
【請求項１】
遊技用媒体を用いて遊技を行う遊技機において、
遊技用媒体を前記遊技機の内部から前記遊技機前面に設けられた受け皿に案内する案内通路に設けられ、前記受皿へ遊技媒体を払い出す払出口を有し、前記遊技機内部に設けられた収納部に対して当該遊技機の前後方向に着脱自在に取り付けられる球通路部材と、
前記遊技機に上下方向へ移動自在に取り付けられ、前記払出口を開閉する遮蔽部材と、を備え、
前記遮蔽部材が上方に移動して前記払出口を遮蔽する位置で当該遮蔽部材は前記遊技機に保持可能、且つ、前記遮蔽部材が下方に移動して前記球通路部材を前記収納部から取り外すことが可能な取り外し位置で、当該遮蔽部材は前記遊技機に保持可能に形成され、
前記遮蔽部材には、この球通路部材が前記遊技機から脱落してしまうことを阻止するロック装置の解除を阻止する阻止部材が設けられ、前記遮蔽部材が前記遮蔽する位置にある状態では、前記遮蔽部材は前記払出口を遮蔽すると共に、前記阻止部材が前記ロック装置の解除を阻止し、前記遮蔽部材が前記取り外す位置にある状態では、前記ロック装置の解除が可能となるように構成され、前記遮蔽部材が前記取り外す位置よりも下方向へ移動した際の当該移動を規制するための部材を設けたことを特徴とする遊技機
【請求項２】
前記部材は軸部を有し、前記遊技機側に設けられた軸受部に枢支されており、前記遮蔽部材を係止する位置から係止を解除する位置まで回動することを特徴とする請求項１に記載の遊技機。
【請求項３】
前記軸部は、軸に交差する方向に切り欠き部を有することを特徴とする請求項２に記載の遊技機。
【請求項４】
前記部材には爪部が設けられ、当該爪部は少なくとも前記遮蔽部材を係止する位置において前記遊技機側に設けられた凹状の係合部と係合し、前記遮蔽部材が前記取り外し位置よりも下方向へ移動した際の当該移動を規制することを特徴とする請求項１〜３の何れかに記載の遊技機。
【請求項５】
前記遮蔽部材は、前記遮蔽部材が上方に移動して前記払出口を遮蔽する位置から前記遮蔽部材が下方に移動して前記球通路部材を前記収納部から取り外すことが可能な位置まで前記案内部材に沿って移動自在であることを特徴とする請求項１〜４の何れかに記載の遊技機。
【請求項６】
前記遮蔽部材には突状の係合突起部が設けられており、該係合突起部は、前記遊技機側に設けられ、該遊技機の上下方向に設けられた第一凹部又は第二凹部に係合することを特徴とする請求項１〜５の何れかに記載の遊技機。
【発明の詳細な説明】
【０００１】
【発明の属する技術分野】
本発明は、遊技機本体前面に対し開閉自在な表扉と、前記遊技機から払い出された遊技用媒体を当該表扉に設けられ遊技用媒体を貯留可能な受皿へ案内する案内通路とを有する遊技機に関する。
【０００２】
【従来の技術】
従来よりあるパチンコ機やスロットマシン等の遊技機は、遊技の進行状況に応じて遊技用媒体が払い出される。尚、以下の説明では遊技機をパチンコ機とし遊技用媒体を遊技球（パチンコ球）とする。
【０００３】
この遊技球は、現金或いは遊技球貸出専用カード（パチンコ・プリペイドカード）により遊技機外部から払い出されるものと、遊技機内部に貯留されていた遊技球を遊技の入賞に応じて払い出すものとがある。これらの遊技球は、払い出されると遊技機前面に設けられた受皿に貯留される。
【０００４】
ところが、貸球を要求した途端に入賞し遊技球が大量に払い出された場合や、遊技者が遊技に気を取られて受皿が遊技球で満杯になったことに気づかなかった場合や、大当たりにより払い出された大量の遊技球を遊技球収容器（通称、ドル箱）へ移し替える作業が間に合わなかった場合、遊技球が受皿から容易に溢れてしまう虞があった。
【０００５】
そこで、本出願人は上記事項を解決する為に、遊技機内部に設けられ、受皿が満杯になったとき受皿内に貯留される遊技球を一時的に貯留する遊技球貯留タンクを先に出願した。この遊技球貯留タンクは遊技機の内部に設けられている。
【０００６】
大半の遊技機は、遊技機の外形を形成する外枠と、外枠の枠内に保持され、上部には遊技を行う遊技領域を囲む枠を有し、下部には遊技領域に遊技球を打ち出す為の発射装置等を取り付けるべき面板部を有する中枠（通称、プラ枠）と、中枠に設けられた遊技領域を臨む位置に相当する部分にガラス板を有し、中枠を覆うように設けられた表扉とから構成されている。尚、この表扉は開閉自在に設けられている。
【０００７】
そして、受皿は表扉の前面に設けられ、先に出願した遊技球貯留タンクは中枠の下部に組み付けられる。因みに、遊技球貯留タンクは受皿内に貯留する遊技球を一時的に貯留する為、遊技球貯留タンクと受皿とは連通している構造となっている。
【０００８】
そのため、遊技球貯留タンクと受皿との連通部分に遊技球があるときにメンテナンス等の理由で扉部材を開放すると、遊技球がこぼれ落ちてしまうことが少なくなかった。
【０００９】
そこで、本出願人は、遊技球貯留タンクと受皿との連通部分に残留した遊技球の落下を防ぐ為の遊技機用シャッター装置を発明し、先願の遊技球貯留タンクに好適に用いた。
【００１０】
この遊技機用シャッター装置は、表扉が開放されたとき、受皿と遊技球貯留タンクとが連通している通路部分を遮蔽し、表扉が閉じられたとき、遮蔽していた通路部分を開放する機能を有している。
【００１１】
以上のように、遊技球貯留タンクと遊技機用シャッター装置を用いることにより、遊技球が受皿から溢れたり、表扉を開放したときに遊技球が不用意にこぼれ落ちてしまうことを防ぐことができた。
【００１２】
【発明が解決しようとする課題】
ところで、上述した先願の遊技球貯留タンクと遊技機用シャッター装置とは、先に遊技球貯留タンクが取り付けられ、次に遊技機用シャッター装置が取り付けられる。
【００１３】
さらに、先願の遊技機用シャッター装置には、遊技球貯留タンクの不用意な脱落を防ぐロック装置の誤作動を防止する為の誤作動防止部材が設けられていた。
【００１４】
この誤作動防止部は、ロック装置に当接している。そのため、メンテナンス等の目的でロック装置の作動状態を解除し遊技球貯留タンクをはずす為には、誤作動防止部とロック装置とを離反させた後に操作しなければならない。
【００１５】
即ち、誤作動防止部とロック装置とを離反させる為には、中枠に取り付けられた遊技機用シャッター装置自体を取り外す動作を行わなければならない。
【００１６】
この遊技機用シャッター装置は、中枠に取り付ける為の係合突起部を有している。
【００１７】
そして、この係合突起部が中枠に設けられた凹部と係合することによって遊技機用シャッター装置は中枠に取り付けられる。
【００１８】
さらに、先願の遊技機用シャッター装置は、遊技機用シャッター装置本体の両サイドからそれぞれ延出した延出部を有している。この延出部は、中枠の面板から鍵状に突出し、シャッター本体を中枠から離脱する方向へ案内するガイド部と係合する。
【００１９】
尚、中枠に設けられた凹部は、遊技機用シャッター装置を取り付け位置で保持するときに係合突起部と係合する第一凹部と、遊技機用シャッター装置を離脱する方向へ所定距離をスライドさせた位置に保持するときに係合突起部と係合する第二凹部との二つが設けられている。
【００２０】
この第二凹部と係合突起部とが係合し遊技機用シャッター装置を係止しているときには、遊技機用シャッター装置の両サイドに設けられた延出部の一部とガイド部の一部とが係合している状態となっている。即ち、第二凹部と係合突起部との係合、及び延出部とガイド部との係合により、離脱方向にスライドさせた遊技機用シャッター装置は係止されている。
【００２１】
以上の構成により、遊技機用シャッター装置は、係合突起部と第一凹部との係合を解除した後、第二凹部と係合突起部とを係合せず、延出部をガイド部に沿ってスライドさせることにより中枠から取り外すことができる。
【００２２】
尚、遊技機用シャッター装置を中枠から完全に離脱せず、第二凹部と係合突起部とを係合させた状態でもロック装置の操作や遊技球貯留タンクの離脱を行うことはできる。
【００２３】
しかし、遊技機用シャッター装置は、第二凹部と係合突起部との係合、及び延出部とガイド部との係合により係止された状態となっているが、遊技球貯留タンクを離脱する際に、遊技機用シャッター装置の一部に遊技球貯留タンクが接触したりすると、遊技機用シャッター装置が落下し、破損したり損傷してしまうことが少なくなかった。
【００２４】
また、係合突起部は弾性部材により形成されている為、第二凹部と係合突起部との係合を粗暴に解除しようとすると、係合突起部の弾性力により遊技機用シャッター装置が撥ね飛んでしまい破損したり損傷してしまう虞もあった。
【００２５】
そこで、本発明は上述した事項に鑑みてなされたものであり、遊技機用シャッター装置の不用意な落下を防ぐことを可能とする遊技機を提供することを課題とする。
【００２６】
【課題を解決するための手段】
本発明は、前記事項を解決する為に以下の手段を採用した。即ち、本発明は、遊技用媒体を用いて遊技を行う遊技機であって、遊技機内部に着脱自在に設けられ、遊技用媒体を遊技機の内部から遊技機前面に設けられた受皿に案内する案内通路を有する球通路部材と、球通路部材の少なくとも一部と係合し球通路部材の取り外しを阻止すると共に、球通路部材と係合する位置から離隔する位置まで移動可能であって案内通路を開閉する遮蔽部材と、離隔する位置への移動による遮蔽部材の脱落を防止する脱落防止部材とを備える構成とする。
【００２７】
つまり、本発明によれば、遮蔽部材の離脱方向への移動に伴い遮蔽部材が脱落防止部材により係止される。
【００２８】
このように、遮蔽部材が離脱位置へ移動したときに、その遮蔽部材の脱落を防止する脱落防止部材が設けられている為、球通路部材を遊技機から離脱する際に、球通路部材が遮蔽部材に接触し遮蔽部材が容易に落下してしまうのを防ぐことができる。それに伴い、遮蔽部材の損傷、破損を未然に防止することも可能となる。
【００２９】
また、本発明における脱落防止部材は、軸部を有し、遊技機側に設けられた軸受部に枢支された構成であり、遮蔽部材を係止する位置から係止を解除する位置まで回動することを特徴とする。
【００３０】
このような構成により、遮蔽部材が離脱方向に移動したときには脱落防止部材を回動させ遮蔽部材を係止する態勢をとり、遮蔽部材が正常な装着位置にあるときは脱落防止部材を回動させ所定の位置に収容することができる。
【００３１】
さらに、本発明の脱落防止部材が、上述したように自身を回動させ遮蔽部材の脱落を防止する構成の場合、軸部を中心に回動する際の回動角度を所定の角度内に抑制する抑制部材を有する構成とすると好ましい。
【００３２】
例えば、脱落防止部材が遮蔽部材を係止していない状態のとき、脱落防止部材とこの脱落防止部材が取り付けられている中枠の前面とがなす角度を９０度以上回動可能としてしまうと、表扉を閉じるときに脱落防止部材を巻き込み、脱落防止部材だけでなく周辺の部品をも破損・損傷してしまう虞が生じてしまう。
【００３３】
しかし、本発明における抑制部材を設けることにより破損や損傷を防ぐことができる。例えば、遮蔽部材が係止されている状態から、係止を完全に解除した状態までを９０度とした場合、抑制部材が脱落防止部材を９０度以上回動しないように規制することにより、脱落防止部材が９０度以上開いた状態で表扉を閉じてしまい脱落防止部材の破損・損傷してしまうことから回避することができる。
【００３４】
尚、この抑制部材として、脱落防止部材の回動方向に突起を設け、それ以上脱落防止部材が回動するのを規制するものや、バネやゴムなどの弾性部材の弾性力を利用して回動角度を規制するもの等が挙げられる。
【００３５】
また、本発明の脱落防止部材を構成する軸部は、軸に交差する方向に切り欠き部を有することを特徴とする。
【００３６】
さらに、本発明の脱落防止部材は、可撓性材料で形成されていることを特徴とする。
【００３７】
そのため、軸部は、その両端部を軸部の中心方向へ押圧すると容易に撓む。このことにより、軸部を中枠に設けられた軸受け部への脱着を容易に行うことができる。
【００３８】
また、本発明における脱落防止部材には爪部が設けられており、その爪部は少なくとも遮蔽部材を係止する位置において遊技機側に設けられた凹状をなす係合部と係合し遮蔽部材の脱落を防止する構成としてもよい。
【００３９】
このように、爪部と係合部とが係合することにより、脱落防止部材による遮蔽部材の係止状態を維持するロック機能がはたらく為、遮蔽部材を係止している最中に脱落防止部材が移動してしまい、係止状態が解除され遮蔽部材が不本意に脱落する虞を回避することができる。
【００４０】
因みに、本発明における脱落防止部材は、遮蔽部材を係止する位置から係止を解除する位置まで摺動自在に設けられている構成としてもよい。勿論、脱落防止部材が摺動自在である場合も、摺動範囲を規制する抑制部材や、爪部と係合部との係合によるロック機能等を好適に用いることができる。
【００４１】
また、本発明における防止部材は、その脱落防止部材の少なくとも一部が遮蔽部材と当接することによりその遮蔽部材の落下を阻止する機構であってもよい。
【００４２】
因みに、脱落防止部材が遮蔽部材を安定して係止する為に、遮蔽部材と当接している部分は面であることが好ましい。
【００４３】
さらに、本発明における遮蔽部材は、球通路部材の少なくとも一部に係合する位置から離隔する位置まで案内する案内部材に沿って移動自在であることを特徴とする。
【００４４】
例えば、遮蔽部材の両サイドから延出した延出部が、中枠から突出し鍵状に設けられた案内部材に案内されスライドすることを例示することができる。
【００４５】
加えて、本発明における遮蔽部材には、突状の係合突起部と、遊技機側に設けられこの係合突起部と係合する凹部とが設けられている。尚、好ましくは、球通路部材が取り付けられている状態で遮蔽部材を装着する位置と、球通路部材を取り外すときの遮蔽部材の位置との二箇所に凹部が設けられていると良い。
【００４６】
これにより、球通路部材を遊技機から離脱するときの遮蔽部材は、係合突起部と凹部との係合、及び延出部と案内部材との係合により係止されていることになる。そのため、遮蔽部材の不本意な落下を極力防ぐことができる。
【００４７】
さらに、本発明における球通路部材は、着脱に係るロック機構を備え、遮蔽部材はロック機構の誤作動を防止する誤作動防止部を有する構成とすることもできる。
【００４８】
また、本発明における開閉自在な表扉は、この表扉が開いたとき遮蔽部材が案内通路を遮蔽し、表扉が閉じたとき遮蔽部材が案内通路を開放することを特徴とする。
【００４９】
【発明の実施の形態】
以下、本実施形態における遊技機の説明を行う。本実施形態における遊技機は、遊技機内部に着脱自在に設けられ、遊技用媒体を遊技機の内部から遊技機前面に設けられた受皿に案内する案内通路を有する球通路部材と、球通路部材の少なくとも一部と係合し球通路部材の取り外しを阻止すると共に、球通路部材と係合する位置から離隔する位置まで移動可能な案内通路を開閉する遮蔽部材と、離隔する位置への移動による遮蔽部材の脱落を防止する脱落防止部材とから構成されている。
【００５０】
まず初めに、以下の説明の便宜を図るため、図面に基づき遊技機の概略を説明する。
【００５１】
図１に示すように、本実施形態における遊技機１は、縦長な方形状に枠組みされ、遊技機１の設置場所に強固に固定される外枠３と、図２に示す外枠３の枠内に保持され下部に面板部１０８を有する中枠９０と、図１に示す外枠３に一側を保持され、且つその外枠３に対して開閉自在に設けられた遊技機１の本体部分となる表枠４と、その表枠４の前面上部に開閉自在に設けられた窓枠５とを備え、その表枠４には遊技機１を構成する主要構成部品の略全てが集約されて構成されている。
【００５２】
また、表枠４に設けられる主要構成部品としては、図１に示す盤面が遊技領域とされる遊技盤６と、この遊技盤６に設けられた遊技領域に遊技球を打ち出す発射装置７と、発射装置７を操作する為の操作ハンドル８と、遊技の進行状況に応じて払い出された遊技球を貯留する受皿２と、必要に応じて所定個数の遊技球を排出する払出ユニット（図示せず）と、遊技盤６の裏面側に設けられた各種装置を制御することで遊技状態を制御する制御装置（図示せず）とが挙げられる。
【００５３】
また、この窓枠５は、遊技盤６の遊技領域全体をその枠内に略覗き見ることができる透視部を備えている。この透視部の外周に沿って装飾ＬＥＤ１０、装飾ランプ１１ａ、１１ｂ、スピーカー１２ａ、１２ｂ、等が挙げられている。この装飾ＬＥＤ１０や装飾ランプ１１ａ、１１ｂは、遊技の進行状況に応じて明滅し、スピーカー１２ａ、１２ｂは遊技の進行状況に応じて各種効果音を発する。
【００５４】
更にまた、遊技盤６は表枠４の略中央部に位置する遊技盤６の収納枠９１に収納固定されるべく、略正方形状の合板により形成されている。その前面には、略円形状に植立され、発射装置７により打ち出された遊技球の行き先を誘導する誘導レール１３と、誘導レール１３によって囲まれた領域に設けられた釘や風車などの障害物１４と、遊技球が入ることを入賞の契機とする複数の入賞口１５ａ、１５ｂとが複数設けられている。
【００５５】
さらに、遊技盤６の中央には種々の図柄、及び情報を遊技の進行に合わせて表示する図柄表示装置１７が設けられている。図柄表示装置１７の直下には、図柄表示装置１７の表示内容を可変せしめる為のトリガーとなる遊技球を受け入れる始動入賞口（始動口）１８が設けられている。これらの入賞口１５ａ、１５ｂ、或いは始動入賞口１８に遊技球が入ると所定数の遊技球が賞球として払い出される。
【００５６】
さらに、遊技盤６の最下方には何れの入賞口１５ａ、１５ｂ、或いは始動入賞口１８にも入賞しない遊技球が取り込まれるアウト口１６が設けられている。
【００５７】
また、上述した部品や装置が設けられた遊技盤６の下方には、遊技球を貯留する受皿２が設けられている。尚、本実施形態における受皿２は、中枠９０に対して開閉自在に設けられた表枠４と一体構成になっている。
【００５８】
尚、本実施形態での受皿２は、遊技機１から払い出された遊技球を貯留する上皿と、下皿とを一体化した受皿としたが、上皿と下皿とが別々に設けられている構成であっても良い。
【００５９】
この受皿２は、図１に示すように、内部に遊技球を貯留する受皿貯留部１９を有し、遊技機１前面から前方に突出して設けられている。
【００６０】
また、受皿２の右側部分の底面を基端として、発射装置７へ遊技球を案内するための発射部入口へ向かう緩やかな傾斜が設けられている。この傾斜の上流には、入賞時に払い出される賞球又は貸球を払い出す開口、即ち払出口２２ａが設けられている。
【００６１】
さらに、この斜面の途中には、球抜きボタンにより貯留された遊技球を排出する球抜き穴が設けられている。この抜き穴から排出された遊技球は、下方へ誘導される案内流路により、遊技機１の外部に排出される出口部に設置されている遊技球収容器へ収容される（共に図示せず）。
【００６２】
また、このような受皿２が前面に取り付けられた受皿付き扉４’を開放することにより中枠９０側に設置された発射装置７、球通路部材、遮蔽部材８０が遊技機１前面に臨まれる。
【００６３】
以上が本実施形態における遊技機１の概要である。そこで次に、本実施形態における球通路部材（以下、遊技球貯留タンクと称す）２９を図面に基づき説明する。
【００６４】
図３に示すように、遊技球貯留タンク２９は、図１に示す遊技機１の本体内部から払出口２２ａへと連通する遊技媒体通路となる遊技球貯留タンク２９の途上にあり、遊技機１の本体内部から払い出される遊技球を図１に示す受皿２の払出受け口２２ｂ側に誘導する傾斜面を有する図４に示す上部通路部（第二傾斜面）４２を含む上蓋と、下部通路部（第一傾斜面）５２と、上部通路部４２と下部通路部５２とを遊技機１正面方向から支持する側壁部６０と、受皿２で受容しきれない遊技球を一時的に貯留する空間である貯留部５０とから構成される。
【００６５】
また、遊技球貯留タンク２９における上部通路部４２、及び下部通路部５２は、二層構造の仕切り板である第二傾斜面と第一傾斜面とから構成されている。これらの傾斜面は、共に払出口２２ａへ向かって傾斜している。
【００６６】
加えて、貯留部５０は、第二傾斜面を上下の仕切りにして上空間部と下空間部との二層構造に形成されている。
【００６７】
また、遊技球貯留タンク２９は、図４に示す遊技機１内部を構成する中枠９０に設けられた収納部７０に対して着脱自在である。即ち、上蓋部４０側の上面には距離を隔ててレール溝４６とガイドレール７１が設けられている。これらは収納部７０側に設けられたガイドレール７１、及びレール溝４６にそれぞれ係合する。
【００６８】
さらに、遊技球貯留タンク２９本体の下面には係合部材５６が設けられ、この係合部材５６には、係合穴５６ａが穿設されている。これが遊技球貯留タンク２９の収納状態を保持するロック装置１０７となっている。
【００６９】
このロック装置１０７は、係合部材５６に設けられた係合穴５６ａに挿入可能な摘み部９３と、摘み部９３を回転可能に保持する回動保持部（図示せず）とから構成されている。
【００７０】
そのため、遊技球貯留タンク２９を収納し、その状態を保持するには、先ず図４に示す収納部７０側に設けられたガイドレール７１と遊技球貯留タンク２９上部に設けられたレール溝４６、及び収納部７０側に設けられたレール溝７２と遊技球貯留タンク上部に設けられたガイドレール４９とを係合して収納部７０へ収納する。
【００７１】
そして、遊技球貯留タンク２９下方に設けられた係合穴５６ａへ摘み部９３を挿入した後に摘み部９３を９０度回転させて固定する。このように、ロック装置１０７を作動させることにより遊技球貯留タンク２９は中枠９０内に取り付けられた状態を保持することができる。
【００７２】
以上が、本実施形態における遊技球貯留タンク２９である。そして、この遊技球貯留タンク２９の払出口２２ａには、遊技球貯留タンク２９に貯留された遊技球の払出や不意の落下を防ぐ為の遮蔽部材８０が設けられている。
【００７３】
そこで、次に本実施形態における遮蔽部材８０（以下、遊技機用シャッター装置と称す）を図面に基づき説明する。
【００７４】
図５〜図１０に示すように、遊技機用シャッター装置８０は表枠４側に突出した案内用突設部８１ａを有している。この案内用突設部８１ａは、斜面部が下方に向いたクサビ形状に形成されている。
【００７５】
そして、この遊技機用シャッター装置８０は、図３に示す受皿付き扉４’の開放操作を行う開閉装置の動作と同期して、払出口２２ａの少なくとも一部遮断する。
【００７６】
また、遊技機用シャッター装置８０は、遊技機１の本体部分となる中枠９０の前面に対して着脱自在、且つ移動自在に設けられている。
【００７７】
さらに、本実施形態における遊技機用シャッター装置８０には、遊技機用シャッター装置８０本体の両サイドから延出した延出部１０５ａ、１０５ｂが設けられている。これらの延出部１０５ａ、１０５ｂは、図１８に示す中枠９０の面板部１０８から鍵状に突出したガイド部１０２ａ、１０２ｂと係合することにより、中枠９０に対してスライド運動が自在となる。
【００７８】
さらに、遊技機用シャッター装置８０は、中枠９０に装着する為の保持部Ｔを有している。この保持部Ｔは、図５〜１０に示すように遊技機用シャッター装置８０本体の裏面側から突出し、上方から下方へと傾斜した傾斜面を有する略くさび形に形成されている。また、この保持部Ｔは合成樹脂などの弾性部材により形成されている。
【００７９】
そして、この保持部Ｔは、図１８に示す中枠９０に設けられた凹部と係合することにより遊技機用シャッター装置８０を中枠９０に取り付ける。
【００８０】
尚、中枠９０には少なくとも図１８に示すように第一凹部１０３と、第二凹部１０４との二つの凹部が設けられている。第一凹部１０３は、遊技球貯留タンク２９の払出口２２ａを遮蔽するときに遊技機用シャッター装置８０を保持する位置に設けられている。また、第二凹部１０４は遊技球貯留タンク２９を取り外す等の際に遊技機用シャッター装置８０を下方向にスライドさせときに遊技機用シャッター装置８０を保持する位置に設けられている。
【００８１】
また、遊技機用シャッター装置８０は、遊技機用シャッター部材の外装部材である支持体８１と、この支持体８１における所定位置の支点（Ｓ１、Ｓ２）を中心に揺動自在に軸止された第一テコ部材８４、及び第二テコ部材８５と、第一テコ部材８４、及び第二テコ部材８５各々の前記支点と対向する側の端部に設けられた支点（Ｓ３、Ｓ４）により回動自在に軸止された遮断壁８２を移動させる為に、第一テコ部材８４、及び第二テコ部材８５が回動する方向とは反対方向に付勢する第二弾性部材８７と、第一テコ部材８４の他端に設けられ、開閉装置の開放操作時に第一テコ部材８４及び第二テコ部材８５を揺動自在とする為に開閉装置における移動部材と当接して係合する係合突設部８４ａと、回動自在に軸止された遮断壁８２が払出口２２ａを所定位置で遮断した状態で保持自在とするように第一テコ部材８４を一時係留し、受皿付き扉４’を閉鎖した後、第一テコ部材８４の一時係留状態を解除し払出口２２ａを開口する係留装置８６とを有する。
【００８２】
さらに、係留装置８６は、第一テコ部材８４及び第二テコ部材８５の各々の支点（Ｓ１、Ｓ２）側に、第一テコ部材８４、及び第二テコ部材８５の揺動方向に対して略直角な方向に第一テコ部材８４、及び第二テコ部材８５の回動を制限する回動制限部材８６ｃと、この回動制限部材８６ｃを付勢する第三弾性部材８８と、係留状態を解除する際に押圧される被押圧部８６ｂとを有する。つまり、被押圧部８６ｂが第三弾性部材８８の付勢に抗して移動することで回動制限部材８６ｃの端部と第一テコ部材８４の係留部８４ｂとの当接が解除される。
【００８３】
さらに、係留装置８６による係留状態の解除は、窓枠５を受皿付き扉４’に対して閉鎖するとき、図２、及び図３に示す突設部が被押圧部８６ｂを押圧し、第三弾性部材８８の付勢力に抗して移動し、それに伴い回動制限部材８６ｃの端部と第一テコ部材８４の係留部８４ｂとの当接が解除されることにより行われる。
【００８４】
また、第一テコ部材８４の係合突設部８４ａは、図２、及び図３に示すように、受皿付き扉４’の開放操作時に中枠９０側に設けられた開閉装置における移動部材と係合する。すると、移動部材の移動に伴い係合突設部８４ａが押し下げられる。このとき第一テコ部材８４は支点Ｓ１を中心として時計回り（図５中Ｍ方向）に回動する。また、第二テコ部材８５は、支点Ｓ２を中心とし、第一テコ部材８４の移動に伴い時計回り（図５中Ｍ方向）に回動する。
【００８５】
すると、図７、及び図８に示すように、第一テコ部材８４、及び第二テコ部材８５の回動動作に伴い遮断壁８２が上方（図７中Ｈ方向）に移動される。即ち、遮断壁８２は、図１２に示すように、遊技球貯留タンク２９の払出口２２ａを覆う方向に移動する。
【００８６】
そして、遮断壁８２が完全に払出口２２ａを覆うと両テコ部材が回動し、回動制限部材８６ｃの端部と第一テコ部材８４の係留部８４ｂとが当接する。
【００８７】
すると、第一テコ部材８４、及び第二テコ部材８５は反時計回り（図７中Ｎ方向）に回動する。即ち、元の位置に戻るように移動する。
【００８８】
そして、これに伴い第一テコ部材８４、及び第二テコ部材８５の回動動作に伴い、遮断壁８２も下方（図７中Ｌ方向）に移動する。
【００８９】
すると、最終的に第一テコ部材８４、及び第二テコ部材８５は、図９、図１０に示すように、遮断壁８２と略平行となる位置で係留される。第一テコ部材８４、及び第二テコ部材８５がこのような状態のとき、図１２に示すように遮断壁８２が払出口２２ａの一部を覆っている状態となる。
【００９０】
また、図５、図７、図９に示すように、遊技機用シャッター装置８０には図４に示す収納部７０に収納された遊技球貯留タンク２９のロック装置１０７によるロック状態の解除を阻止する阻止部材１０６が設けられている。
【００９１】
この阻止部材１０６は、係留装置８６や被押圧部８６ｂとは反対側に設けられた延出部１０５ｂの上方に、この延出部１０５ｂの延出方向と同様の方向に突き出して設けられている。即ち、遊技機用シャッター装置８０を中枠９０に取り付けた際のロック装置１０７側に設けられている。
【００９２】
この阻止部材１０６は、遊技機用シャッター装置８０の保持部Ｔを中枠９０に設けられた第一凹部１０３に係合した位置で、遊技球貯留タンク２９の係合部材５６（図４参照）の下方と当接する。そのため、遊技機用シャッター装置８０を下方にスライドさせない限りロック装置１０７を解除することはできない。
【００９３】
以上が、本実施形態における遊技機用シャッター装置８０である。
尚、本実施形態における遊技機用シャッター装置８０は、遊技球貯留タンク２９の払出口２２ａ側に設けられているものとして説明したが、別の実施形態として図１に示すように、受皿付き扉４’を閉じたとき遊技球貯留タンク２９の払出口２２ａと連結し、受皿付き扉４’の裏面側に設けられた払出受け口２２ｂ側に遊技機用シャッター装置８０を設け、受皿付き扉４’側に残留した遊技球の落下を防止しても良い。
【００９４】
また、本実施形態における遊技機用シャッター装置８０の近傍には、遊技球貯留タンク２９を外す際に遊技機用シャッター装置８０を下方にスライド移動させたときに起こり得る遊技機用シャッター装置８０の落下を防止する為の脱落防止部材９２が設けられている。
【００９５】
次に、本実施形態における脱落防止部材９２を図面に基づき説明する。本実施形態における脱落防止部材９２は、図３、図１１、図１２、図１９に示すように、遊技機用シャッター装置８０の下方に相当する中枠９０に設けられている。
【００９６】
また、図１３〜図１５に示すように、本実施形態における脱落防止部材９２は、軸部９４と、軸部９４に対向して設けられた板部９６と、軸部９４と板部９６とを連結するブロック状の連結部９５とから構成されている。尚、この軸部９４と連結部９５とはＬ字形をなし、連結部９５と板部９６とはＴ字形をなすように連結されている。尚、本実施形態における脱落防止部材９２は合成樹脂等の弾性部材により形成されている。
【００９７】
また、図１４に示すように、軸部９４は軸方向に交わる方向に軸部９４の一部を切り欠いた切り欠き部９９を有している。但し、切り欠き部９９は完全に軸部９４を切り欠いてしまわず、軸部９４の一部が切り欠かれている。そのため、切り欠き部９９のスペースを狭めるように軸部９４の上下端から同時に力を加えると軸部９４全体の伸縮率が高まる。
【００９８】
さらに、本実施形態における連結部９５には、遊技機用シャッター装置８０と直接当接する凸状の当接部９８ａ、９８ｂが並設されている。尚、本実施形態における当接部９８ａ、９８ｂは、遊技機用シャッター装置８０に当接し支持する際、より安定した支持力を得る為に複数箇所で当接するよう二つ設けられてる。
【００９９】
また、本実施形態における板部９６は、連結部９５の幅よりも大きい幅を有している。さらに、本実施形態における板部９６は、脱落防止部材９２を中枠９０に取り付けたときの中枠９０側の端部に爪部９７を有している。この爪部９７は、脱落防止部材９２を中枠９０側に回動させた状態、即ち脱落防止部材９２使用時の状態を維持する為に、図１８に示すように、中枠９０に設けられた凹状の係合部１０９と係合する。
【０１００】
また、上述した脱落防止部材９２は、図１６、及び図１７に示すような、中枠９０に設けられた軸受部に軸部９４を係合させることにより中枠９０に取り付けられる。
【０１０１】
図１６に示すように、軸受部は、軸部９４の上部を保持する上軸受部１００と、軸部９４の下部を保持する下軸受部１０１とから構成されている。
【０１０２】
この上軸受部１００は、図１７に示すように中枠９０から中枠９０前面へ突出して設けられ、突出した箇所に上下方向からの挿通を可能とするリング状に形成されている。
【０１０３】
また、下軸受部１０１は、中枠９０の面板部１０８に設けられた段差上に設けられ、且つ上軸受部１００の真下に相当する位置に穴状に設けられている。
【０１０４】
このような上軸受部１００と下軸受部１０１に、軸部９４の上下端を押圧し軸部９４を変形させて軸部９４の上下端部を挿入し、弾性力により元の形に復帰し軸部９４の上下端部を上下軸受部１０１に係合させることにより、脱落防止部材９２が取り付けられる。
【０１０５】
以上が本実施形態における脱落防止部材９２の構成である。
【０１０６】
次に、本実施形態における脱落防止部材９２の使用方法と遊技機用シャッター装置８０との相関関係を図面に基づいて説明する。
【０１０７】
先ず、図１１に示すように遊技機用シャッター装置８０の保持部Ｔが図１８に示す第一凹部１０３に係合し、中枠９０に取り付けられている状態のとき、脱落防止部材９２は未使用の状態となる。
【０１０８】
この位置に遊技機用シャッター装置８０があるとき、前述したように第一テコ部材８４、及び第二テコ部材８５を図５中Ｍ方向へ回動させ、遮断壁８２を移動させることにより遊技球貯留タンク２９の払出口２２ａを遮蔽することができる。
【０１０９】
次に、遊技球貯留タンク２９を取り外す等の為に遊技機用シャッター装置８０の延出部１０５ａ、１０５ｂを中枠９０に設けられたガイド部１０２ａ、１０２ｂに沿って遊技球貯留タンク２９の下方（図１１中Ｋ方向）へスライドさせる。
【０１１０】
このとき、遊技機用シャッター装置８０は、延出部１０５ａ、１０５ｂとガイド部１０２ａ、１０２ｂとが係合した状態で係止されていると共に、保持部Ｔが中枠９０に設けられている第二凹部１０４と係合し係止された状態となっている。
【０１１１】
そして、軸部９４を中心に９０度（図１１中Ｊ方向）脱落防止部９２を回動させて凹状の係合部１０９に爪部９７を係合させた脱落防止部材９２の使用時の状態となっている。
【０１１２】
このように脱落防止部材９２を９０度回転させることにより、図１９に示すように、遊技機用シャッター装置８０の下部が脱落防止部材９２の当接部９８ａ、９８ｂに当接する為、不用意に保持部Ｔと第二凹部１０４との係合が外れても下方へ脱落するのを確実に防止でき、破損や余計な手間を防止できると共に、離隔操作時における操作性を向上させることもできる。
【０１１３】
これによって、遊技機用シャッター装置８０の不安定な係止状態を補助し、遊技機用シャッターの脱落を防止することが可能となる。
【０１１４】
また、脱落防止部材９２は、軸部９４を中心として回動自在に設けられている為、遊技機用シャッター装置８０を完全に取り外したい場合は、凹状の係合部１０９に係合させた爪部９７を取り外し、未使用状態（図１１中Ｋ方向）まで回動させ遊技機用シャッター装置８０を中枠９０から外方へ取り外すこともできる。
【発明の効果】
以上のことにより、本発明によれば、遊技機用シャッター装置の不用意な落下を防ぐことを可能とする遊技機を提供することが可能となる。
【図面の簡単な説明】
【図１】本実施形態における遊技機の斜視図を示す。
【図２】本実施形態における遊技機の正面図を示す。
【図３】本実施形態における遊技機の受皿付き扉を開放した状態の正面図を示す。
【図４】本実施形態における中枠と遊技球貯留タンクと遊技機用シャッター装置の分解斜視図を示す。
【図５】本実施形態における遊技機用シャッター装置の正面図を示す。
【図６】本実施形態における遊技機用シャッター装置の側面図を示す。
【図７】本実施形態における第一テコ部材、及び第二テコ部材が回動したときの正面図を示す。
【図８】本実施形態における第一テコ部材、及び第二テコ部材が回動したときの側面図を示す。
【図９】本実施形態における遊技機用シャッター装置が払出口の一部を覆うときの正面図を示す。
【図１０】本実施形態における遊技機用シャッター装置が払出口の一部を覆うときの側面図を示す。
【図１１】本実施形態における脱落防止部材未使用時の中枠一部拡大図を示す。
【図１２】本実施形態における遊技機用シャッター装置が払出口を遮蔽するときの中枠一部拡大図を示す。
【図１３】本実施形態における脱落防止部材の上面図を示す。
【図１４】本実施形態における脱落防止部材の正面図を示す。
【図１５】本実施形態における脱落防止部材の側面図を示す。
【図１６】本実施形態における中枠の一部断面図を示す（図１８中Ａ−Ａ断面図）。
【図１７】本実施形態における上軸受部の上面図を示す（図１８中Ｂ方向から見た図を示す）。
【図１８】本実施形態における中枠一部拡大図を示す。
【図１９】本実施形態における脱落防止部材使用時の中枠一部拡大図を示す。
【符号の説明】
１  遊技機
２  受皿
３  外枠
４  表枠
４’  受皿付き扉
５  窓枠
６  遊技盤
７  発射装置
８  操作ハンドル
１０  装飾ＬＥＤ
１１  装飾ランプ
１２  スピーカー
１３  誘導レール
１４  障害物
１５  入賞口
１６  アウト口
１７  図柄表示装置
１８  始動入賞口
１９  受皿貯留部
２２ａ  払出口
２９  球通路部材（遊技球貯留タンク）
４０  上蓋部
４２  上部通路（第二斜面）
４６  レール溝
５０  貯留部
５２  下部通路部（第一斜面）
５６  係合部材
５６ａ  係合穴
７０  収納部
７１  ガイドレール
８０  遮蔽部材（遊技機用シャッター装置）
８１  支持体
８１ａ  案内突設部
８２  遮断壁
８４  第一テコ部材
８４ａ  係合突設部
８４ｂ  係留部
８５  第二テコ部材
８６  係留装置
８６ｂ  被押圧部
８６ｃ  回動制限部材
８７  第二弾性部材
８８  第三弾性部材
Ｔ  保持部
９０  中枠
９１  収納枠
９２  脱落防止部材
９３  摘み部
９４  軸部
９５  連結部
９６  板部
９７  爪部
９８  当接部
９９  切り欠き部
１００  上軸受部
１０１  下軸受部
１０２  ガイド部
１０３  第一凹部
１０４  第二凹部
１０５  延出部
１０６  阻止部材
１０７  ロック装置
１０８  面板部
１０９  係合部
【図１】
0003940300.tif 000002
【図２】
0003940300.tif 000003
【図３】
0003940300.tif 000004
【図４】
0003940300.tif 000005
【図５】
0003940300.tif 000006
【図６】
0003940300.tif 000007
【図７】
0003940300.tif 000008
【図８】
0003940300.tif 000009
【図９】
0003940300.tif 000010
【図１０】
0003940300.tif 000011
【図１１】
0003940300.tif 000012
【図１２】
0003940300.tif 000013
【図１３】
0003940300.tif 000014
【図１４】
0003940300.tif 000015
【図１５】
0003940300.tif 000016
【図１６】
0003940300.tif 000017
【図１７】
0003940300.tif 000018
【図１８】
0003940300.tif 000019
【図１９】
0003940300.tif 000020